(57)【要約】【課題】眼鏡フレームを構成する各部の材質に関わりなく、設計の自由度を向上させることが可能な、眼鏡フレーム及び眼鏡を提供することを目的とする。【解決手段】眼鏡フレーム１は、フロント枠１０と、ヨロイ２０，２０と、テンプル３０，３０と、連結部５０，５０を備える。連結部５０は、弾性を有し、ヨロイ２０及びテンプル３０とは別体で、ヨロイ２０及びテンプル３０に取り付けられ、両部を連結する。ヨロイ２０に取り付けられる連結部５０の一端側の部分は、ヨロイ２０の内側部分２２に当接する当接面５２を含み、ヨロイ２０に回動できる状態で取り付けられる。テンプル３０に取り付けられる連結部５０の他端側の部分は、テンプル３０の内側部分３２に固定部材を介して取り付けられる。当接面５２及びヨロイ２０の内側部分２２が当接した状態では、テンプル３０が開かれる方向への回動は規制される。【選択図】図１
2013134259.tif 000002
【特許請求の範囲】
【請求項１】
左右一対のレンズが装着されるフロント枠と、
前記フロント枠の左右両側に設けられるヨロイと、
左右一対のテンプルと、
弾性を有し、前記ヨロイ及び前記テンプルとは別体で、前記ヨロイ及び前記テンプルに取り付けられ、前記ヨロイ及び前記テンプルを連結する、連結部と、を備え、
前記ヨロイに取り付けられる前記連結部の一端側の部分は、前記眼鏡フレームが使用者に装着された状態で使用者の側となる前記ヨロイの内側部分に当接する当接面を含み、且つ、前記テンプルを開閉させるために、前記ヨロイに回動できる状態で取り付けられ、
前記テンプルに取り付けられる前記連結部の他端側の部分は、前記眼鏡フレームが使用者に装着された状態で使用者の側となる前記テンプルの内側部分に固定部材を介して取り付けられ、
前記テンプルが開かれ、前記眼鏡フレームが使用者に装着できる状態とされた場合、
前記当接面は前記ヨロイの内側部分に当接し、
前記当接面及び前記ヨロイの内側部分が当接した状態では、前記テンプルが開かれる方向への前記回動は規制される、眼鏡フレーム。
【請求項２】
前記テンプルが開かれ、前記眼鏡フレームが使用者に装着できる状態とされた場合、
前記眼鏡フレームが使用者に装着された状態で使用者の顔面の側に配置される前記テンプルの先端部と、前記ヨロイと、の間には第一隙間が設けられ、
前記テンプルの前記連結部に沿った範囲と、前記連結部と、の間には第二隙間が設けられ、
前記第一隙間及び前記第二隙間は連続している、請求項１に記載の眼鏡フレーム。
【請求項３】
前記テンプルが開かれ、前記当接面及び前記ヨロイの内側部分が当接した状態において、前記テンプルが使用者の頭部の左右方向に拡がり変形した場合、
前記テンプルの先端部は、前記第一隙間が形成された範囲において前記ヨロイに接した状態とならず、
前記テンプルの前記連結部に沿った範囲は、前記第二隙間が形成された範囲において前記連結部に接した状態となる、請求項２に記載の眼鏡フレーム。
【請求項４】
前記テンプルの内側部分及び前記連結部の他端側の部分は嵌め合わされ、
前記連結部の他端側の部分は、前記テンプルの内側部分と嵌め合わされた状態で、前記固定部材としてのねじを介して、前記テンプルの内側部分にねじ止めされて取り付けられる、請求項１から請求項３の何れか１項に記載の眼鏡フレーム。
【請求項５】
前記テンプルの内側部分及び前記連結部の他端側の部分は、前記回動の回動軸方向に交差する方向に嵌め合わされ、
前記連結部の他端側の部分は、前記回動の回動軸方向に交差する方向にねじ込まれた前記固定部材としてのねじを介して、前記テンプルの内側部分にねじ止めされて取り付けられる、請求項４に記載の眼鏡フレーム。
【請求項６】
前記テンプルの内側部分及び前記連結部の他端側の部分は、前記回動の回動軸方向に交差する方向に嵌め合わされ、
前記連結部の他端側の部分は、前記回動の回動軸方向に一致する方向にねじ込まれた前記固定部材としてのねじを介して、前記テンプルの内側部分にねじ止めされて取り付けられる、請求項４に記載の眼鏡フレーム。
【請求項７】
前記固定部材としてのねじがねじ込まれるねじ孔は、前記ねじがねじ込まれるねじ込み方向に非貫通の孔である、請求項４から請求項６の何れか１項に記載の眼鏡フレーム。
【請求項８】
請求項１から請求項７の何れか１項に記載の眼鏡フレームと、
前記フロント枠に装着された左右一対の前記レンズと、を備える、眼鏡。
【発明の詳細な説明】
【技術分野】
【０００１】
本発明は、眼鏡フレーム及び眼鏡に関する。
【背景技術】
【０００２】
眼鏡フレームに関する技術が提案されている。特許文献１には、フロント部の両側ヨロイ部内側に継手部を設け、ツルの基部内側からアームを延ばすと共に該アーム先端には継手を有し、該継手の先には当り面を形成し、このアーム先端継手を、ヨロイ部内側の継手部に設けた空間溝に嵌めて軸ネジを介して連結したメガネフレームが開示されている。このメガネフレームでは、ツルを開いた時に当り面が空間溝に当接し、開いた状態からさらにツルを外方向へ押し開く際にはアームに作用する曲げモーメントによって撓み変形することができる、とされている。
【０００３】
特許文献１によれば、メガネフレームが樹脂製である場合、金属製のメガネフレームに採用されるばね蝶番を用いることはできない、とされている。特許文献１によれば、樹脂製のメガネフレームの一部に板ばねを組み込んでメガネフレームを構成すると、全体のデザインが崩れてしまい外観が損なわれる結果となる、とされている。
【先行技術文献】
【特許文献】
【０００４】
【特許文献１】実用新案登録第３１６８３６７号公報
【発明の概要】
【発明が解決しようとする課題】
【０００５】
眼鏡フレームには流行があり、流行に合った多様なデザインの眼鏡フレームが開発され、製造及び販売されている。眼鏡フレームは、例えば、左右一対のレンズが装着されるフロント枠と、フロント枠の左右両側に設けられるヨロイと、左右一対のテンプルとを備える。これら各部の形状が改良等され、全体としてのデザイン性が追求されつつ、装着性の向上も図られている。例えば前述したような眼鏡フレームを構成する各部は、樹脂材料及び／又は金属材料により形成され、これによっても、デザイン性等が追求されている。
【０００６】
本発明は、眼鏡フレームを構成する各部の材質に関わりなく、設計の自由度を向上させることが可能な、眼鏡フレーム及び眼鏡を提供することを目的とする。
【課題を解決するための手段】
【０００７】
上記従来の課題に鑑みなされた本発明の一側面は、左右一対のレンズが装着されるフロント枠と、前記フロント枠の左右両側に設けられるヨロイと、左右一対のテンプルと、弾性を有し、前記ヨロイ及び前記テンプルとは別体で、前記ヨロイ及び前記テンプルに取り付けられ、前記ヨロイ及び前記テンプルを連結する、連結部と、を備え、前記ヨロイに取り付けられる前記連結部の一端側の部分は、前記眼鏡フレームが使用者に装着された状態で使用者の側となる前記ヨロイの内側部分に当接する当接面を含み、且つ、前記テンプルを開閉させるために、前記ヨロイに回動できる状態で取り付けられ、前記テンプルに取り付けられる前記連結部の他端側の部分は、前記眼鏡フレームが使用者に装着された状態で使用者の側となる前記テンプルの内側部分に固定部材を介して取り付けられ、前記テンプルが開かれ、前記眼鏡フレームが使用者に装着できる状態とされた場合、前記当接面は前記ヨロイの内側部分に当接し、前記当接面及び前記ヨロイの内側部分が当接した状態では、前記テンプルが開かれる方向への前記回動は規制される、眼鏡フレームである。
【０００８】
これによれば、ヨロイ及びテンプルを、弾性を有する連結部によって連結することができる。そのため、フロント枠、ヨロイ及びテンプルといった眼鏡フレームを構成する各部の材質を、樹脂材料又は金属材料等、何れのものとすることもできる。眼鏡フレームを構成する各部の材質に関わりなく、好適なデザインの眼鏡フレームを設計することができる。即ち、眼鏡フレームにおける設計の自由度を向上させることが可能となる。好適なデザインの眼鏡フレームを得ることができる。使用者がこの眼鏡フレームを装着し、テンプルが使用者の頭部の左右方向に拡がり変形した場合、弾性を有する連結部によって、使用者の頭部に対して変形に伴う反力を作用させることができる。好適な装着感が得られる眼鏡フレームとすることができる。
【０００９】
この眼鏡フレームは、次のようにすることもできる。前記テンプルが開かれ、前記眼鏡フレームが使用者に装着できる状態とされた場合、前記眼鏡フレームが使用者に装着された状態で使用者の顔面の側に配置される前記テンプルの先端部と、前記ヨロイと、の間には第一隙間が設けられ、前記テンプルの前記連結部に沿った範囲と、前記連結部と、の間には第二隙間が設けられ、前記第一隙間及び前記第二隙間は連続している、ようにしてもよい。これによれば、連結部を好適に弾性変形させることができる。
【００１０】
前記テンプルが開かれ、前記当接面及び前記ヨロイの内側部分が当接した状態において、前記テンプルが使用者の頭部の左右方向に拡がり変形した場合、前記テンプルの先端部は、前記第一隙間が形成された範囲において前記ヨロイに接した状態とならず、前記テンプルの前記連結部に沿った範囲は、前記第二隙間が形成された範囲において前記連結部に接した状態となる、ようにしてもよい。これによれば、テンプルをスムーズに変形させることが可能となり、連結部による反力を好適に得ることができる。
【００１１】
前記テンプルの内側部分及び前記連結部の他端側の部分は嵌め合わされ、前記連結部の他端側の部分は、前記テンプルの内側部分と嵌め合わされた状態で、前記固定部材としてのねじを介して、前記テンプルの内側部分にねじ止めされて取り付けられる、ようにしてもよい。これによれば、連結部をテンプルの内側部分に好適に取り付けることができる。連結部がテンプルの内側部分に取り付けられた状態において、眼鏡フレームを装着した使用者の側に突出する連結部の量を低減することができる。
【００１２】
前記テンプルの内側部分及び前記連結部の他端側の部分は、前記回動の回動軸方向に交差する方向に嵌め合わされ、前記連結部の他端側の部分は、前記回動の回動軸方向に交差する方向にねじ込まれた前記固定部材としてのねじを介して、前記テンプルの内側部分にねじ止めされて取り付けられる、ようにしてもよい。これによれば、連結部をテンプルの内側部分に好適にねじ止めすることができる。
【００１３】
前記テンプルの内側部分及び前記連結部の他端側の部分は、前記回動の回動軸方向に交差する方向に嵌め合わされ、前記連結部の他端側の部分は、前記回動の回動軸方向に一致する方向にねじ込まれた前記固定部材としてのねじを介して、前記テンプルの内側部分にねじ止めされて取り付けられる、ようにしてもよい。これによれば、連結部をテンプルの内側部分に好適にねじ止めすることができる。眼鏡フレームにおいて、ねじは、テンプルの回動の回動軸方向に一致する方向（ねじ込み方向）に挿通された状態とされる。使用者がこの眼鏡フレームを装着し、テンプルが使用者の頭部の左右方向に拡がり変形した場合、ねじのねじ込み方向は、この変形の方向に交差した方向となる。そのため、テンプルの変形に伴い作用する力によって、ねじ孔に形成された雌ねじ部が破損等し、ねじが抜けてしまうといった事態の発生を抑制することが可能となる。好適な取付状態を維持することができる。
【００１４】
前記固定部材としてのねじがねじ込まれるねじ孔は、前記ねじがねじ込まれるねじ込み方向に非貫通の孔である、ようにしてもよい。これによれば、ねじ先端が眼鏡フレームの外観に現れず、より好適なデザインの眼鏡フレームとすることができる。
【００１５】
本発明の他の側面は、上述した何れかの眼鏡フレームと、前記フロント枠に装着された左右一対の前記レンズと、を備える、眼鏡である。これによれば、上述した優れた機能を奏する眼鏡とすることができる。従って、好適なデザインの眼鏡とすることができる。好適な装着感が得られる眼鏡とすることができる。
【発明の効果】
【００１６】
本発明によれば、眼鏡フレームを構成する各部の材質に関わりなく、設計の自由度を向上させることが可能な、眼鏡フレーム及び眼鏡を得ることができる。
【図面の簡単な説明】
【００１７】
【図１】眼鏡フレームを備える眼鏡の一例を示す平面図である。
【図２】眼鏡フレームを備える眼鏡の一例を示す正面図である。
【図３】眼鏡フレームを備える眼鏡の一例を示す側面図である。
【図４】テンプルの回動を説明する平面図である。
【図５】連結部のテンプルへの取付状態の一例を説明する図であって、図１に示すＡ−Ａ線端面図である。
【図６】テンプルが開かれ装着できる状態から使用者の頭部の左右方向にさらに拡がるように変形した場合を説明する一部拡大平面図である。
【図７】テンプルへの連結部の取付状態の他の例を説明する図であって、図１に示すＡ−Ａ線に対応した位置で切断した場合の端面図である。
【発明を実施するための形態】
【００１８】
本発明に係る実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。説明に用いる各図において、破線はかくれ線である。
【００１９】
眼鏡フレーム１及び眼鏡３について、図１〜図６を参照して説明する。本実施形態における「右側」及び「左側」（図１、図２及び図４〜図６参照。後述する図７においても同じ）は、眼鏡フレーム１（眼鏡３）を装着した使用者を基準としたものである。眼鏡３は、図１〜図３に示すように、眼鏡フレーム１と、左右一対のレンズ７，７を備える。使用者が眼鏡３を装着した場合、一方のレンズ７（図２に示す「右側」に装着された「レンズ７」参照）は、使用者の右眼の前方に配置され、他方のレンズ７（図２に示す「左側」に装着された「レンズ７」参照）は、同左眼の前方に配置される。
【００２０】
眼鏡フレーム１は、フロント枠１０と、ヨロイ２０，２０と、テンプル３０，３０と、連結部５０，５０を備える。フロント枠１０は、左右一対のリム枠と、これらを連結するブリッジとを含む。フロント枠１０（左右一対のリム枠）には、左右一対のレンズ７，７が装着される。フロント枠１０には、左右一対の鼻パッド１２，１２が取り付けられる。鼻パッド１２，１２は、眼鏡フレーム１が使用者に装着された場合、使用者の鼻筋に接し、眼鏡フレーム１を使用者の頭部に支持する。フロント枠１０は、従来の眼鏡フレームにおけるフロント枠と同様の構成を有する。フロント枠１０に関するこの他の説明は省略する。
【００２１】
ヨロイ２０，２０は、フロント枠１０の左右両側に設けられる。テンプル３０，３０は、ヨロイ２０，２０に対応し、眼鏡フレーム１の左右に一対で設けられる。一方のテンプル３０（図１に示す「右側」に設けられた「テンプル３０」参照）は、眼鏡フレーム１が使用者に装着された状態で、使用者の右側頭部の側に配置され、後頭部の側において、右側の耳に支持される。他方のテンプル３０（図１に示す「左側」に設けられた「テンプル３０」参照）は、眼鏡フレーム１が使用者に装着された状態で、使用者の左側頭部の側に配置され、後頭部の側において、左側の耳に支持される。連結部５０，５０は、ヨロイ２０，２０及びテンプル３０，３０に、それぞれ取り付けられ、ヨロイ２０，２０及びテンプル３０，３０を連結する。具体的に、一方の連結部５０（図１に示す「右側」に設けられた「連結部５０」参照）は、眼鏡フレーム１の右側において、ヨロイ２０及びテンプル３０に取り付けられ、このヨロイ２０及びテンプル３０を連結する。他方の連結部５０（図１に示す「左側」に設けられた「連結部５０」参照）は、眼鏡フレーム１の左側において、ヨロイ２０及びテンプル３０に取り付けられ、このヨロイ２０及びテンプル３０を連結する。
【００２２】
フロント枠１０と、ヨロイ２０と、テンプル３０は、従来の眼鏡フレームと同様の材料で形成される。例えば、これら各部は、樹脂材料及び／又は金属材料により形成される。連結部５０は、弾性部材により一体で形成され、弾性を有する。例えば、連結部５０は、樹脂材料又は金属材料により形成される。樹脂材料としては、ウルテム等が例示される。金属材料としては、チタンが例示される。眼鏡フレーム１において、これら各部は、同種の材料又は異種の材料により形成される。例えば、フロント枠１０と、ヨロイ２０と、テンプル３０と、連結部５０は、全て樹脂材料とし、又は、全て金属材料としてもよい。フロント枠１０と、ヨロイ２０と、テンプル３０と、連結部５０のうち、一部は、樹脂材料とし、他の一部は金属材料としてもよい。
【００２３】
本実施形態では、眼鏡フレーム１の左右両側に設けられたヨロイ２０，２０を、区別しない場合、又は、これらを総称する場合、ヨロイ２０という。同様に、テンプル３０，３０は、テンプル３０といい、連結部５０，５０は、連結部５０という。詳細は後述するが、眼鏡フレーム１は、上述した各部の他、左右両側に、例えば、蝶番７０，７０及び凹部３４，３４を備える。これらについても、ヨロイ２０等と同様に、蝶番７０及び凹部３４等という。
【００２４】
連結部５０によるヨロイ２０及びテンプル３０の連結について、具体的に説明する。この連結は、眼鏡フレーム１の左右両側に設けられる連結部５０，５０において同様にして行われる。連結部５０は、図１、図３及び図４に示すように、一端側の部分において、ヨロイ２０に取り付けられる。連結部５０の一端側は、眼鏡フレーム１が使用者に装着された状態において使用者の顔面の側に一致する。連結部５０の一端側の部分は、ヨロイ２０の内側部分２２に当接する当接面５２を含む。ヨロイ２０の内側部分２２は、眼鏡フレーム１が使用者に装着された状態において使用者の側となる部分である。連結部５０の一端側の部分と、この部分が取り付けられるヨロイ２０の内側部分２２には、蝶番７０を構成する継手部がそれぞれ形成される。連結部５０の一端側の部分及びヨロイ２０の内側部分２２に形成された継手部は、それぞれ嵌め合わせられる。各継手部が嵌め合わせられた状態で、ピン材７２が挿入され、蝶番７０が構成される。ピン材７２は、テンプル３０の回動の回動軸となる。図３において一点鎖線で示す直線Ｌは、回動軸（ピン材７２）の中心である回動軸心を示すものである。蝶番７０は、従来の眼鏡フレームにおいても採用された継手構造と同様の構造を有する。従って、これに関するこの他の説明は省略する。
【００２５】
蝶番７０によれば、後述するようにして、連結部５０の他端側の部分に取り付けられたテンプル３０を、回動させることができる（図４に示す「左側」に設けられた「テンプル３０」の近傍に記載の両矢の矢印「回動」参照）。テンプル３０，３０が開かれ、図１に示すように、眼鏡フレーム１が使用者に装着できる状態とされた場合、連結部５０は、一端側の部分に含まれる当接面５２において、ヨロイ２０の内側部分２２に当接する。当接面５２がヨロイ２０の内側部分２２に当接すると、テンプル３０，３０を開かれた状態とする方向への回動（図４に示す矢印「回動」において「開」の方向参照）は、規制される。フロント枠１０に接し、又は、接近した位置において、テンプル３０，３０を閉じた状態とする方向への回動（図４に示す矢印「回動」において「閉」の方向参照）は、規制される。
【００２６】
連結部５０は、図１、図３及び図４等に示すように、他端側の部分において、テンプル３０の内側部分３２に取り付けられる。連結部５０の他端側は、眼鏡フレーム１が使用者に装着された状態において使用者の後頭部の側に一致する。テンプル３０の内側部分３２には、図５に示すように、凹部３４が設けられる。テンプル３０の内側部分３２は、眼鏡フレーム１が使用者に装着された状態において使用者の側となる部分である。凹部３４は、テンプル３０の内側部分３２において、テンプル３０の一端側（図１及び図３等参照）に設けられる。連結部５０の他端側の部分は、図５に示すように、凹部３４に嵌め合わされ（嵌め込まれ）、テンプル３０の内側部分３２にねじ止めされる。図１及び図４において、ねじ止めに用いられるねじ９０は、図示を省略している。図５は、眼鏡フレーム１の左側に設けられるテンプル３０及び連結部５０に基づいた図であり、ハッチングは、断面（端面）（図１のＡ−Ａ線参照）を示すものである。
【００２７】
連結部５０の他端側の部分には、図５に示すように、第一貫通孔５４が設けられる。第一貫通孔５４は、連結部５０の他端側の部分における第二面６０と、第一面５８を貫通する。第一面５８は、連結部５０の他端側の部分が凹部３４に嵌め合わされた状態において、凹部３４の底部３６に対向する面である。第二面６０は、前述の状態において凹部３４の底部３６に対向しない、第一面５８と反対側の面である。テンプル３０には、連結部５０の他端側の部分が凹部３４に嵌め合わされた状態において、第一貫通孔５４に対応する凹部３４の底部３６の位置に、ねじ孔４２が設けられる。ねじ孔４２は、第一貫通孔５４が貫通する方向（ねじ込み方向）に延在する。ねじ孔４２は、ねじ込み方向において、テンプル３０を貫通しない。ねじ込み方向は、蝶番７０を介したテンプル３０の回動の回動軸（ピン材７２）の方向（図３及び図５に示す「回動軸方向」参照）に交差、具体的には、直交する。連結部５０の他端側の部分をテンプル３０の内側部分３２に取り付けるためのねじ止めは、連結部５０の他端側の部分における第二面６０の側から第一貫通孔５４にねじ９０を挿通し、ねじ９０をねじ孔４２に螺合させて行われる。このとき、ねじ９０の頭部は、図５に示すように、連結部５０の他端側の部分において、第一貫通孔５４の外周部に係合する。連結部５０の他端側の部分に座ぐり部を設け、ねじ９０の頭部が突出しないようにしてもよい（図５参照）。
【００２８】
ヨロイ２０及びテンプル３０が連結部５０により連結された眼鏡フレーム１において、テンプル３０が開かれ、眼鏡フレーム１が使用者に装着できる状態（図１参照）とされた場合、使用者の顔面の側に配置されるテンプル３０の先端部と、ヨロイ２０の間には第一隙間８０が設けられる（図１、図３及び図６の「変形前」等参照）。同じく、テンプル３０の内側部分３２のうち、連結部５０に沿った範囲と、連結部５０の間には第二隙間８２が設けられる（図１及び図６の「変形前」等参照）。ここで、第一隙間８０及び第二隙間８２は、図１等に示すように、連続し、全体としてＬ字状をなしている。
【００２９】
図１に示す状態において、使用者が眼鏡フレーム１を装着したとする。この場合、テンプル３０，３０はそれぞれ、使用者の頭部の左右方向に拡がり（図１及び図６の「変形後」に示すボックス状の矢印「拡開」参照）、同方向に変形する。図６は、眼鏡フレーム１の左側に設けられるヨロイ２０、テンプル３０及び連結部５０に基づいた図である。この変形に伴い、テンプル３０の先端部は、図６に示すように、第一隙間８０においてヨロイ２０に接した状態とはならない。連結部５０に沿った範囲は、第二隙間８２が形成された範囲において連結部５０に接した状態となる。このとき、テンプル３０の先端部は、連結部５０の他端側の部分をテンプル３０に取り付けるためのねじ９０（図３及び図５参照）の位置（図６において一点鎖線で示す「直線Ｋ」参照）を支点として、連結部５０を押圧する。連結部５０は、テンプル３０の先端部からの押圧によって変形する。変形した連結部５０には、変形と反対方向の反力が作用する。テンプル３０は、連結部５０に作用する反力によって、使用者の側頭部に押圧される。
【００３０】
＜本実施形態による効果＞
眼鏡フレーム１では、ヨロイ２０及びテンプル３０が、弾性を有する連結部５０によって連結される。そのため、フロント枠１０、ヨロイ２０及びテンプル３０といった眼鏡フレーム１を構成する各部の材質を、樹脂材料又は金属材料の何れとすることもできる。眼鏡フレーム１を構成する各部の材質に関わりなく、好適なデザインの眼鏡フレーム１を設計することができる。即ち、眼鏡フレーム１における設計の自由度を向上させることが可能となる。好適なデザインの眼鏡フレーム１及び眼鏡３を得ることができる。使用者がこの眼鏡フレーム１を装着し、テンプル３０が使用者の頭部の左右方向に拡がり変形した場合、弾性を有する連結部５０によって、使用者の頭部に対して変形に伴う反力を作用させることができる。装着された眼鏡フレーム１（眼鏡３）のずれを抑制することができる。好適な装着感が得られる眼鏡フレーム１（眼鏡３）とすることができる。換言すれば、使用者は、好適な装着感を得ることができる。
【００３１】
＜変形例＞
本実施形態は、次のようにすることもできる。このような構成によっても、上述した本実施形態と同様の効果を得ることができる。
【００３２】
（１）上記では、図５に示すように、テンプル３０の内側部分３２に凹部３４を設け、連結部５０の他端側の部分を、凹部３４に嵌め合わせることとした。凹部３４は、省略してもよい。この場合、連結部５０の他端側の部分は、平面状とされたテンプル３０の内側部分３２に、上記同様にして取り付けられる。次に記載するような方法で取り付けられるようにしてもよい。
【００３３】
（２）上記では、図５に示すような態様で、連結部５０の他端側の部分を、テンプル３０の内側部分３２にねじ止めすることとした。連結部５０の他端側の部分をテンプル３０の内側部分３２に取り付けるための方法は、ねじ止め以外の方法で行われてもよい。例えば、接着剤を用いて、連結部５０の他端側の部分を、テンプル３０の内側部分３２に接着してもよい。テンプル３０及び連結部５０が共に金属材料で形成される場合、連結部５０の他端側の部分をテンプル３０の内側部分３２にろう付けしてもよい。
【００３４】
図５に示すように、連結部５０の他端側の部分をテンプル３０の内側部分３２にねじ止めする場合、次のようにしてもよい。即ち、連結部５０の他端側の部分にねじ孔を設け、このねじ孔に対応するテンプル３０の位置に、テンプル３０の外側部分と内側部分３２を貫通する貫通孔を設ける。この貫通孔には、テンプル３０の外側部分からねじ９０が挿通され、連結部５０の他端側の部分がテンプル３０の内側部分３２にねじ止めされる。テンプル３０の外側部分は、眼鏡フレーム１が使用者に装着された状態において使用者の側とはならない、内側部分３２と反対側の部分である。この場合、テンプル３０の外側部分に座ぐり部を設け、ねじ９０の頭部が突出しないようにしてもよい。
【００３５】
この他、ねじ止めは、例えば、図７に示すような態様で行われるようにしてもよい。ねじ止めが図７に示すような態様で行われる場合、連結部５０の他端側の部分と、テンプル３０の凹部３４は、次のような形状とされる。即ち、連結部５０の他端側の部分には、第二貫通孔５６が設けられる。第二貫通孔５６は、連結部５０の他端側の部分が凹部３４に嵌め合わされた状態において、蝶番７０を介したテンプル３０の回動の回動軸（ピン材７２）の方向（図３及び図７に示す「回動軸方向」参照）に一致する方向に貫通する。従って、第二貫通孔５６が貫通する方向は、蝶番７０においてピン材７２が挿入される方向に対応する。
【００３６】
テンプル３０には、凹部３４の側壁部３８，４０のうち、側壁部３８の所定の位置に、第二貫通孔５６と同一方向に側壁部３８を貫通する第三貫通孔４６が設けられる。側壁部３８，４０は、底部３６と共に凹部３４を形成する。側壁部３８，４０は、底部３６を基準として、第二貫通孔５６が貫通する方向（回動軸方向）の一方側及び他方側にそれぞれ配置される。第三貫通孔４６が設けられる側壁部３８の所定の位置は、連結部５０の他端側の部分が凹部３４に嵌め合わされた状態において、第二貫通孔５６に対応した位置である。テンプル３０には、凹部３４の側壁部３８，４０のうち、側壁部４０の所定の位置に、第二貫通孔５６が貫通する方向（回動軸方向）に延在するねじ孔４４が設けられる。ねじ孔４４が設けられる側壁部４０の所定の位置は、連結部５０の他端側の部分が凹部３４に嵌め合わされた状態において、第二貫通孔５６に対応した位置である。ねじ孔４４は、第二貫通孔５６が貫通する方向（回動軸方向）、即ち、次に記載するねじ９０がねじ込まれるねじ込み方向に、側壁部４０を貫通しない。ねじ込み方向は、回動軸方向に一致する。
【００３７】
連結部５０の他端側の部分をテンプル３０の内側部分３２に取り付けるためのねじ止めは、側壁部３８の側から第三貫通孔４６及び第二貫通孔５６に、ねじ９０を挿通し、ねじ９０をねじ孔４４に螺合させて行われる。このとき、ねじ９０の頭部は、図７に示すように、側壁部３８において、第三貫通孔４６の外周部に係合する。側壁部３８に座ぐり部を設け、ねじ９０の頭部が突出しないようにしてもよい（図７参照）。使用者が眼鏡フレーム１を装着し、テンプル３０，３０がそれぞれ、使用者の頭部の左右方向（図１及び図６の「変形後」に示すボックス状の矢印「拡開」参照）に拡がり、同方向に変形したとする。この変形に伴い、ねじ９０に作用する力の方向は、ねじ９０のねじ込み方向とは交差する関係となる。そのため、変形に伴いねじ９０に作用する力によって、ねじ孔４４の雌ねじ部が破損等することを好適に抑制し、好適な取り付けを継続させることができる。
【００３８】
図７とは異なり、第三貫通孔４６に対応する貫通孔を側壁部４０に設け、ねじ孔４４に対応するねじ孔を側壁部３８に設けてもよい。この場合、ねじ９０は、側壁部４０の側から前述の２つの貫通孔に挿通される。側壁部４０に座ぐり部を設け、ねじ９０の頭部が突出しないようにしてもよい。
【００３９】
ねじ孔４２，４４が形成される部分を別部品として構成し、ねじ孔４２が形成された部品を、図５においてねじ孔４２が設けられたテンプル３０の位置、又は、図７においてねじ孔４４が設けられたテンプル３０の位置に、固定するようにしてもよい。例えば、ねじ孔４２，４４が形成された部品を、金属材料で形成すれば、ねじ孔４２，４４の雌ねじ部の強度を向上させることができる。
【００４０】
（３）上記では、テンプル３０の内側部分３２に凹部３４を設け、連結部５０の他端側の部分を、凹部３４に嵌め合わせることとした（図５及び図７参照）。連結部５０の他端側の部分に凹部を設け、この凹部にテンプル３０を嵌め合わせるようにしてもよい。テンプル３０の先端部は、凹部に合った形状とされる。また、テンプル３０の先端部であってその内側部分３２に、連結部５０の他端側の部分に設けられた凹部に対応した凸部を設け凹部及び凸部を嵌め合わせるようにしてもよい。この場合において、テンプル３０及び連結部５０の他端側の部分の取り付けは、図５又は図７と同様、嵌め合わされたテンプル３０及び連結部５０の他端側の部分を、ねじ９０によってねじ止め等して行われる。
【符号の説明】
【００４１】
１  眼鏡フレーム
３  眼鏡
７  レンズ
１０  フロント枠
１２  鼻パッド
２０  ヨロイ
２２  内側部分
３０  テンプル
３２  内側部分
３４  凹部
３６  底部
３８，４０  側壁部
４２，４４  ねじ孔
４６  第三貫通孔
５０  連結部
５２  当接面
５４  第一貫通孔
５６  第二貫通孔
５８  第一面
６０  第二面
７０  蝶番
７２  ピン材
８０  第一隙間
８２  第二隙間
９０  ねじ
【図１】
2013134259.tif 000003
【図２】
2013134259.tif 000004
【図３】
2013134259.tif 000005
【図４】
2013134259.tif 000006
【図５】
2013134259.tif 000007
【図６】
2013134259.tif 000008
【図７】
2013134259.tif 000009